(57)【要約】【課題】複数のＬＥＤの間接照明により乗りかご内を照らし、ＬＥＤのまぶしさと光ムラを解消する照明装置を提供する。【解決手段】エレベーターの乗りかごを形成する複数枚の側板間の隙間から乗りかごを照らすエレベーター乗りかご内照明装置であって、側板を高さ方向の隙間を介して隣接設置し、高さ方向の隙間を側板の裏側において塞ぎ板で連結することで高さ方向の空間部を形成するとともに、高さ方向の空間部は高さ方向左右の半面が乗りかご内から視認可能な見通し部とされ、左右の他の半面が乗りかご内から見通すことができない遮蔽部とされ、遮蔽部の高さ方向に複数のＬＥＤが設置され、高さ方向の複数のＬＥＤからの光が塞ぎ板で反射され、見通し部を介して複数枚の側板間の隙間から乗りかごを照らすことを特徴とする。【選択図】図２
2014097850.tif 000002
【特許請求の範囲】
【請求項１】
エレベーターの乗りかごを形成する複数枚の側板間の隙間から乗りかごを照らすエレベーター乗りかご内照明装置であって、
前記側板を高さ方向の隙間を介して隣接設置し、該高さ方向の隙間を前記側板の裏側において塞ぎ板で連結することで高さ方向の空間部を形成するとともに、該高さ方向の空間部は高さ方向左右の半面が乗りかご内から視認可能な見通し部とされ、前記左右の他の半面が乗りかご内から見通すことができない遮蔽部とされ、
該遮蔽部の高さ方向に複数のＬＥＤが設置され、高さ方向の複数のＬＥＤからの光が前記塞ぎ板で反射され、前記見通し部を介して複数枚の側板間の隙間から乗りかごを照らすことを特徴とするエレベーター乗りかご内照明装置。
【請求項２】
請求項１に記載のエレベーター乗りかご内照明装置であって、
前記高さ方向の複数のＬＥＤからの光により、エレベーター乗りかご内の天井付近および床付近が中間高さ部位よりも明るくされていることを特徴とするエレベーター乗りかご内照明装置。
【請求項３】
請求項２に記載のエレベーター乗りかご内照明装置であって、
エレベーター乗りかご内の天井付近および床付近を中間高さ部位よりも明るくするために、天井付近および床付近の前記高さ方向のＬＥＤは、単位長さ当たりの個数が多くされ、あるいは高輝度のものが使用されていることを特徴とするエレベーター乗りかご内照明装置。
【請求項４】
エレベーターの乗りかごを形成する複数枚の側板間の隙間に延長側板を設けるとともに、この延長側板の背面にかご内を照らすＬＥＤ照明部を配置したエレベーター乗りかご内照明装置であって、
前記側板間を連結するとともに前記照明部からの光線を反射する塞ぎ板を設けて、前記ＬＥＤが縦方向に複数個配設される基板と、
前記側板間の隙間部に配置され、前記基板が装着されるとともに、前記側板に着脱可能に係止される固定部材を備え、
前記ＬＥＤの光線を反射する前記塞ぎ板に光を拡散させるシートを備え、前記乗りかごの天井近傍に位置する前記側板間の隙間の部分に、他の部分に比べて照度を高くする前記基板を配設することにより、前記ＬＥＤとＬＥＤ光線を反射する塞ぎ板によって形成される高照度発光部を設けたことを特徴とするエレベーター乗りかご内照明装置。
【請求項５】
請求項４に記載のエレベーター乗りかご内照明装置であって、
前記ＬＥＤ光線を反射する前記塞ぎ板を、前記側板間の隙間部を形成する隣接する前記側板に連結し、
天井近傍に位置する前記隙間部の部分と、前記乗りかごの床の近傍に位置する前記隙間部の部分との間の前記隙間部の部分に前記高照度発光部に比べて照度を低くする前記基板に配設された前記ＬＥＤによって形成される低照度発光部を設け、
前記床の近傍に位置する前記隙間部の部分に、前記低照度発光部に比べて照度を高くする前記基板に配設された前記ＬＥＤによって形成される高照度発光部を設けたことを特徴とするエレベーター乗りかご内照明装置。
【請求項６】
請求項５に記載のエレベーター乗りかご内照明装置であって、
前記高照度発光部は、所定長さ当りの前記ＬＥＤの個数を前記低照度発光部の前記ＬＥＤの個数に比べて多くした発光部、または、前記ＬＥＤ１個に流れる電流を前記低照度発光部の前記ＬＥＤ１個に流れる電流に比べて高くした発光部、または、前記ＬＥＤの輝度を前記低照度発光部の前記ＬＥＤの輝度に比べて高くした発光部から成ることを特徴とするエレベーター乗りかご内照明装置。
【請求項７】
請求項６に記載のエレベーター乗りかご内照明装置であって、
前記基板は、高照度を供給する前記ＬＥＤが設けられる高照度基板と、この高照度基板の前記ＬＥＤの照度に比べて低い照度を供給する前記ＬＥＤが設けられる低照度基板から成り、
前記固定部材は、前記高照度基板が装着され、この高照度基板と同等の長さを有する高照度固定部材と、前記低照度基板が装着され、この低照度基板と同等の長さを有する低照度固定部材とから成り、
前記高照度基板と、この高照度基板の設けたＬＥＤと、前記高照度固定部材とによって、前記側板に対して着脱可能な一体構造物である高照度ＬＥＤユニット形成し、
前記低照度基板と、この低照度基板の設けたＬＥＤと、前記低照度固定部材とによって、前記側板に対して着脱可能な一体構造物である低照度ＬＥＤユニット形成し、
前記高照度ＬＥＤユニット、及び前記低照度ＬＥＤユニットのそれぞれ毎に前記装着体を取り付け、
前記側板に前記高照度ＬＥＤユニット取り付けられた装着体を固定する穴と、前記低照度ＬＥＤユニットに取り付けられた装着体固定する穴とを形成し、
前記ＬＥＤ光線を反射する塞ぎ板は前記高照度ＬＥＤユニットと前記低照度ＬＥＤユニットの双方を１個の塞ぎ板によって形成されることを特徴とするエレベーター乗りかご内照明装置。
【請求項８】
請求項７に記載のエレベーター乗りかご内照明装置であって、
前記隙間部のＬＥＤは、隣接する前記側板の少なくとも一方に形成され、
径の大きい右部穴とこの左部穴に連通し、前記右部穴に比べて径の小さい穴とから成る達磨穴と、前記固定材に取り付けられ、
前記ＬＥＤは角度を付けて前記ＬＥＤ光線を反射する塞ぎ板に照射し、塞ぎ板には光が拡散するように拡散シートを備え、さらに半円状にすることにより光の反射方向を拡大し、より照度を上げることが可能となることを特徴とするエレベーター乗りかご内照明装置。
【発明の詳細な説明】
【技術分野】
【０００１】
本発明はエレベーター乗りかご内照明装置に係り、特にエレベーターの乗りかごを形成する側板間の隙間を利用して照明を行うエレベーター乗りかご内照明装置に関する。
【背景技術】
【０００２】
エレベーターの乗りかごを形成する側板間の隙間を利用して照明を行うエレベーター乗りかご内照明装置の背景技術として、特許文献１（特開２０１２−８２０４４号公報）が知られている。
【０００３】
特許文献１には、「天井に照明装置を備えず側板間の目地部にＬＥＤを備えたものにあって、乗りかご内が満員に近い状態であっても乗客に乗りかご内が明るいと感じさせることができる。」と記載されている。
【先行技術文献】
【特許文献】
【０００４】
【特許文献１】特開２０１２−８２０４４号公報
【発明の概要】
【発明が解決しようとする課題】
【０００５】
特許文献１では、乗りかごに天井照明を備えず、側板間の目地部に複数のＬＥＤを備えたものにあって、乗りかご内が満員に近い状態であっても、乗客に乗りかご内が明るいと感じさせることができるエレベーターの照明装置を提案している。
【０００６】
しかし、ＬＥＤを直接的に照明とした場合、ＬＥＤは指向性が強いため側板間の目地部にあっては乗客の目線に入ってしまい、ＬＥＤ照明がまぶしいと感じさせてしまう恐れがあった。また、ＬＥＤを直接的な照明とした場合、ＬＥＤの特性からドット状の光ムラが発生し、意匠性を損なう恐れがあった。
【０００７】
本発明は、前述した従来技術における実状からなされたもので、その目的は複数のＬＥＤの間接照明により乗りかご内を照らし、ＬＥＤのまぶしさと光ムラを解消する照明装置を提供することにある。
【課題を解決するための手段】
【０００８】
以上のことから本発明においては、エレベーターの乗りかごを形成する複数枚の側板間の隙間から乗りかごを照らすエレベーター乗りかご内照明装置であって、
側板を高さ方向の隙間を介して隣接設置し、高さ方向の隙間を側板の裏側において塞ぎ板で連結することで高さ方向の空間部を形成するとともに、高さ方向の空間部は高さ方向左右の半面が乗りかご内から視認可能な見通し部とされ、左右の他の半面が乗りかご内から見通すことができない遮蔽部とされ、
遮蔽部の高さ方向に複数のＬＥＤが設置され、高さ方向の複数のＬＥＤからの光が塞ぎ板で反射され、見通し部を介して複数枚の側板間の隙間から乗りかごを照らすことを特徴とする。
【発明の効果】
【０００９】
本発明の構成により天井に照明装置を備えず、側板間のＬＥＤ間接照明空間部に複数のＬＥＤを備えたものにあって、天井付近をＬＥＤ光線を反射する塞ぎ板を介して高照度発光部に含まれる照度を高くＬＥＤによって照らすことができる。光が間接照明であるため、従来に比べてＬＥＤのまぶしさと光ムラを解消することができる。
【図面の簡単な説明】
【００１０】
【図１】本発明の第１実施形態の乗りかごを示す斜視図。
【図２】図１のＡ−Ａ断面拡大図。
【図３】図２のＢ−Ｂ断面に相応する縦断面図。
【図４】図２のＣ矢視拡大図。
【図５】本発明の第２実施形態の要部を示す横断面図で図２に対応する図。
【図６】本発明の第３実施形態の要部を示す縦断面図で図３に対応する図。
【発明を実施するための形態】
【００１１】
本発明に係るエレベーター乗りかご内照明装置の実施の形態を図に基づいて説明する。
【実施例１】
【００１２】
図１は本発明に係るエレベーターの乗りかご内照明装置の第１実施形態の乗りかごを示す斜視図である。
【００１３】
図１に示すように、エレベーターの乗りかご１は、床２と天井３と、床２の隅部に設けた幅木４上に立設された複数枚の側板５とによって形成されている。また、隣接する側板５を所定間隔で離隔させることによって側板間に隙間部６が形成されている。本発明に係る乗りかご内照明装置にあっては、側板間の隙間部６に照明装置が備えられている。
【００１４】
図２は図１のＡ−Ａ断面拡大図、図３は図２のＢ−Ｂ断面に相応する縦断面図、図４は図２のＣ矢視拡大図である。これ等の図を用いて本発明の構成を説明する。
【００１５】
まず隙間部６の構成について説明する。図２のＡ−Ａ断面拡大に示すように、隣接する側板５ａ、５ｂの間に形成される側板間の隙間部６は、側板５ａ、５ｂそれぞれの端部付近が直角に折り曲げられ、曲げられた部分５ａ１、５ｂ１がお互いに対向するように配置される。また側板５ａと側板５ｂの一部は、背面側においてＬＥＤ光線を反射する塞ぎ板７で連結され、取り付けボルト８を用いて一体に締結されている。
【００１６】
係る構成とすることによって側板間の隙間部６に、凹部空間部６Ａを形成している。この凹部空間部６Ａは、側板５ｂが延伸して端部付近が直角に折り曲げられた部分５ｂ２によって、複数の空間部に仕切られている。凹部空間部６Ａは、エレベーターの乗りかご内から乗客が見通すことができる見通し部６Ａ１と、側板５ｂ、５ｂ２により内部を見通すことができない遮蔽部６Ａ２に分けられる。
【００１７】
遮蔽部６Ａ２内には、折り曲げ部５ｂ１、５ｂ２の間の側板５ｂに形成した固定部材１３、固定部材１３に固定された係止用固定部材１１、係止固定部材１１上に着脱可能に設置された基盤１０、基盤１０に設置されたＬＥＤ９で構成された照明装置が設置されている。遮蔽部に設けられた照明装置により、ＬＥＤ９が発した照射光は遮蔽部６Ａ２の空間から、塞ぎ板７で反射され、見通し部６Ａ１を介してエレベーターの乗りかご内に照射される。かくして、エレベーターの乗りかご内は間接照明とされる。
【００１８】
図３は図２のＢ−Ｂ断面に相応する縦断面図であり、固定部材１３やＬＥＤ９で構成される照明装置の高さ方向における配置関係が示されている。これによれば固定部材１３やＬＥＤ９で構成される照明装置は、遮蔽部６Ａ２内に床２（実際には幅木４の上端部まで）と天井３の間に配置される。
【００１９】
このように第１実施形態に係る乗りかご照明装置では図３に示すように、乗りかご１内を照らすＬＥＤ９が縦方向に例えば１列に複数個配設され、側板間の隙間部６の凹部空間を照射する側板５ｂに配置される１枚の基板１０を備えている。この１枚の基板１０は係止用固定部材１１に着脱可能に装着されるとともに、固定部材１１を介して側板５ｂに配置されている。なお固定部材１１にはＬＥＤ９のそれぞれに接続される電源線１２も収納されている。また、凹部空間を照射するＬＥＤ光線を反射する塞ぎ板７には照明を拡散させるシートが貼り付けてある。
【００２０】
前述した照明装置は、ＬＥＤ９と、基板１０と、係止固定部材１１と、電源線１２などが一体構成物とされることによってＬＥＤユニット９Ａとして形成されている。
【００２１】
第１実施形態では、乗りかご１の天井３の近傍に位置する側板間の隙間部６ａの部分と、乗りかご１の床２の近傍に位置する側板間の隙間部６ｃの部分に他の部分６ｂに比べて照度を高くする高照度発光部を設けた構成としてある。高照度発光部は、基板１０に配設されたＬＥＤ９によって形成されている。
【００２２】
すなわち図３に示すように、天井３の近傍に、所定長当りのＬＥＤ９の配設個数を多くし、ＬＥＤ９の配設密度を高めた高照度発光部６ａを設けてある。さらに、この第１実施形態では、乗りかご１の床２の近傍に位置する側板間の隙間部６の部分に、低照度発光部６ｂに比べて照度を高くするＬＥＤ９によって形成される高照度発生部６ｃを設けてある。この高照度発生部６ｃは、前述した天井３の近傍に設けられる高照度発生部６ａと同様に、所定長当りのＬＥＤ９の配設個数を多くし、ＬＥＤ９の配設密度を高めることによって形成してある。
【００２３】
これに対し、この第１実施形態では乗りかご１の高さ方向中間部に位置する側板間の隙間部６の部分に、高照度発光部６ａ、６ｃに比べて照度を低くする低照度発光部６ｂを設けた構成にしてある。低照度発光部６ｂは、基板１０に配設されたＬＥＤ９によって形成される。低照度発光部６ｂは、所定長当りのＬＥＤ９の配設個数を少なくし、ＬＥＤ９の配設密度を粗くすることによって形成してある。
【００２４】
また、この第１実施形態では、係止用固定板１１に基盤１０を簡便に取り付けるために、左右穴を備えた達磨穴１５を使用する。達磨穴１５の左右穴の一方は径が大きく、他方は径が小さい穴である。
【００２５】
図４に示すように、隣接する側板５ａ、５ｂの少なくとも一方、図４の例では側板５ｂに設置されるＬＥＤユニット９Ａの係止用固定板１１と基盤１０の間で達磨穴１５による固定がされる。達磨穴１５は基盤１０に形成され、径の大きい右部穴１５ａと、右部穴１５ａに比べて径の小さい左部穴１５ｂが連通した構成とされている。達磨穴１５は、側板５ｂの縦方向に沿って基盤１０に複数形成されている。
【００２６】
また、係止用固定部材１１側には、基盤１０の達磨穴１５のそれぞれに対応した高さ位置に、つば部１４ａと、このつば部１４ａに接続され、達磨穴１５の左部穴１５ｂに係止される軸１４ｂとを有する複数の装着体１４を備えている。なおつば部１４ａは係止用固定材１１に取り付けられ、達磨穴１５の右部穴１５ａに挿入される径寸法に設定されている。これにより、基盤の達磨穴１５の径の大きい右部穴１５ａの位置に、係止用固定部材１１側のつば部１４ａの位置を合わせ、達磨穴１５の径の小さい左部穴１５ｂの位置に移動させることで基盤１０が係止用固定部材１１に固定される。
【００２７】
なお、前述したＬＥＤユニット９Ａは複数設けられ、例えば乗りかご１内の隣接される側板５（５ａ、５ｂ）間に形成される側板間の隙間部６の複数個所（望ましくは全ての隙間部）に設けるのがよい。
【００２８】
第一実施形態によれば、電源線１２に電力を供給することにより、ＬＥＤユニット９Ａの高照度発光部６ａ、６ｃ及び低照度発光部６ｂに含まれるＬＥＤ９のそれぞれが点灯し、これらのＬＥＤ９によって乗りかご１内を明るく照らすことができる。この際に、高照度発光部６ａ、６ｃのＬＥＤ９の配設個数を多くしたことから、低照度発光部６ｂによる明るさに比べて、高照度発光部６ａ、６ｃによる明るさを明るくすることができる。すなわち、乗りかご１の天井３付近と床２の付近とをより明るく照らすことができる。
【００２９】
このように構成した第１実施形態によれば、乗りかご１の天井３付近にＬＥＤ光線を反射する塞ぎ板７を介して、前述したように高照度発光部６ａに含まれる照度を高くするＬＥＤ９（すなわち配設個数を多くしたＬＥＤ９）によって明るく照らすことができる。したがって天井３に照明装置を備えず、側板５ａ、５ｂ間の目地部６に複数のＬＥＤ９を備えたものにあって、乗りかご１内が満員に近い状態でも乗客は乗りかご１内が明るいと感じさせることができ、且つＬＥＤ間接照明となることになっても拡散シートと半円状のＬＥＤ光線を反射する塞ぎ板７により、照度を落とさず、ＬＥＤのまぶしさや光ムラの無い照明となる。
【００３０】
また、乗りかご１の床２付近もＬＥＤ光線を反射する塞ぎ板７を介して、前述したように高照度発光部６ｃに含まれる照度を高くするＬＥＤ９（すなわち配設個数を多くしたＬＥＤ９）によって明るく照らすことができる。これにより乗りかご１に乗り込む際の乗客の足元を明るくし、乗客の安全を確保することができる。
【００３１】
また、照明を控え気味にしても済む乗りかご１内の床２と天井３との間の高さ位置に、低照度発光部６ｂを設けたことから、全体の照明に要する電力の消費を抑えることができ、この点で経済的である。
【００３２】
また、乗りかご１内の形状寸法に応じて、あるいは乗りかご１の側板５（５ａ、５ｂ）の色や模様に応じて、高照度発光部６ａ、６ｃ、及び低照度発光部６ｂを形成するＬＥＤ９の個数を適宜選択することにより、乗りかご１内形状寸法に相応する望ましい明るさを、あるいは側板５（５ａ、５ｂ）の色や模様等を損なわない明るさを、乗りかご１内に供給することができる。また、乗りかご１内の明るさを、当該エレベーターの所有者の要望に応じた明るさに容易に設定することができる。
【００３３】
また、高照度発生部６ａ、６ｃは、ＬＥＤ９の配設個数を多くするだけであるので、比較的容易に実現させることができ、実用性に富む。
【００３４】
また、側板５ｂに形成した固定部材１３に設けた装着体１４と、ＬＥＤユニット９Ａに形成した達磨穴１５とを介してＬＥＤユニット９Ａを側板５ｂに形成した固定部材１３に対して着脱させる構成にしてあることから、このＬＥＤユニット９Ａを側板５ｂに形成した固定部材１３に対して乗かご１から容易に着脱させることができ、ＬＥＤユニット９Ａの側板５ｂに形成した固定部材１３に対する取り付け、取り外し作業の作業性を向上させることができる。
【実施例２】
【００３５】
図５は本発明の第２実施形態の要部を示す横断図面で、図２に対応する図である。
【００３６】
この図５に示す第２実施形態は、第１実施形態における高照度発光部６ａ、６ｃに相当する高照度発光部を、横２列にＬＥＤ９を設けることによって形成したものである。縦方向に対しては、図示しないが高照度発光部、及び第１実施形態における低照度発光部６ｂに相当する低照度発光部も含めて、ＬＥＤ９を等間隔に配置してある。その他の構成は前述した第１実施形態と同等である。
【００３７】
このように構成した本発明は、前述した第１実施形態と同等の作用効果が得られる他、縦方向に対してはＬＥＤ９が等間隔で配置されるので、ＬＥＤユニット９Ａの製作が比較的簡単である。
【００３８】
なお、縦方向に対するＬＥＤ９の配設の粗密（ＬＥＤ９の個数の多少）と、横方向に対するＬＥＤ９の複数の配設とを組み合わせた構成とすることもできる。このように構成したものでは、エレベーターの所有者の要望に応じた精度の高い照明を実現させることができる。
【実施例３】
【００３９】
図６は本発明の第３実施形態の要部を示す縦断図面で、図３に対応する図である。
【００４０】
この第３実施形態は、ＬＥＤ９が配設される基板１０が、高照度を供給するＬＥＤ９が設けられる高照度基板１０ａと、この高照度基板１０ａのＬＥＤ９の照明に比べて低い照度を供給するＬＥＤ９が設けられる低照度基板１０ｂとから成っている。高照度基板１０ａは天井３の近傍と床２の近傍にそれぞれ１枚ずつ配置してあり、低照度基板１０ｂは、両高照度基板１０ａの間に複数枚配置してある。
【００４１】
これらの高照度基板１０ａ及び低照度基板１０ｂは、例えばプリント基板によって構成してある。したがって、電源線１２は、高照度基板１０ａ及び低照度基板１０ｂ毎に設けてある。第１実施形態におけるのと同様に、高照度基板１０ａに配設するＬＥＤ９の個数を多くし、縦方向におけるＬＥＤ９の配設密度を高くしてある。
【００４２】
また、この第３実施形態における固定部材、すなわち基板が接着される係止用固定部材１１は、高照度基板１０ａが接着され、この高照度基板１０ａと同等の長さ寸法を有する高照度固定部材１１ａと、低照度基板１０ｂが接着され、この低照度基板１０ｂと同等の長さ寸法を有する低照度固定部材１１ｂとから成っている。
【００４３】
前述した高照度基板１０ａ、この高照度基板１０ａに設けたＬＥＤ９、高照度固定部材１１ａ、及び対応する電源線１２によって、側板５（５ａ、５ｂ）に対して着脱自在な一体構成物である高照度ＬＥＤユニット９Ａａが形成されている。また前述した低照度基板１０ｂ、この低照度基板１０ｂに設けたＬＥＤ９、低照度固定部材１１ｂ、及び対応する電源線１２によって、側板５（５ａ、５ｂ）に対して着脱自在な一体構成物である低照度ＬＥＤユニット９Ａｂが形成されている。
【００４４】
高照度ＬＥＤユニット９Ａａ、低照度ＬＥＤユニット９Ａｂのそれぞれ毎に装着体１４を係止する達磨穴１５を設けてあり、側板５ｂに形成した固定部材１３に高照度ＬＥＤユニット９Ａａを取り付けられる装着体１４と、低照度ＬＥＤユニット９Ａｂを取り付けられる装着体１４を形成してある。
【００４５】
このように構成した第３実施形態は、第１実施形態と同等の作用効果が得られる他、ＬＥＤユニットが高照度ＬＥＤユニット９Ａａと低照度ＬＥＤユニット９Ａｂに分割形成されているので、運搬作業、及び取り付け、取り外し作業の作業性を向上させることができる。また、ＬＥＤユニット９Ａａ、９Ａｂの保存のためのスペースが比較的小スペースで済む。
【００４６】
さらに高照度ＬＥＤユニット９Ａａ及び低照度ＬＥＤユニット９Ａｂのいずれかに照明不良を生じた場合には、該当するＬＥＤユニットのみを交換すればよく、このように照明不良を生じた場合のＬＥＤユニットの交換作業が簡単である。
【００４７】
なお、前述した第１実施形態、及び第３実施形態の高照度発光部９ａは、所定長当りのＬＥＤ９の個数を低照度発光部９ｂのＬＥＤ９の個数に比べて多くした発光部となっているが、本発明は、高照度発光部９ａをこのように構成することには限られない。
【００４８】
例えば、高照度発光部９ａと低照度発光部９ｂそれぞれにおけるＬＥＤ９の個数を同じに設けたものにあって、ＬＥＤ９の１個に流れる電流を低照度発光部９ｂのＬＥＤ９の１個に流れる電流に比べて高くした発光部から成る高照度発光部を設けた構成にしてもよい。また、高照度発光部９ａと低照度発光部９ｂそれぞれにおけるＬＥＤ９の個数を同じに設けたものにあって、ＬＥＤ９の輝度を低照度発光部９ｂのＬＥＤ９の輝度に比べて高くした発光部から成る高照度発光部を設けた構成にしてもよい。これら構成も比較的容易に実現させることができ、実用性に富む。
【００４９】
以上本発明の実施例について説明したが、各実施例の構成とこの構成がもたらす効果の関係を整理して示すと以下のようである。
【００５０】
本発明の実施例では、エレベーターの乗りかごを形成する複数枚の側板間の隙間に延長側板を設けるとともに、この延長側板の背面にかご内を照らすＬＥＤ照明部を配置したエレベーター乗りかご内照明装置であって、側板間を連結するとともに照明部からの光線を反射する塞ぎ板を設けて、ＬＥＤが縦方向に複数個配設される基板と、側板間の隙間部に配置され、基板が装着されるとともに、側板に着脱可能に係止される固定部材を備え、ＬＥＤの光線を反射する塞ぎ板に光を拡散させるシートを備え、乗りかごの天井近傍に位置する側板間の隙間の部分に、他の部分に比べて照度を高くする基板を配設することにより、ＬＥＤとＬＥＤ光線を反射する塞ぎ板によって形成される高照度発光部を設けたことを特徴としている。
【００５１】
この構成により、乗りかごの天井付近を高照度発光部に含まれる照度を高くするＬＥＤによって明るく照らすことができる。すなわち天井照明を備えず、側板間の隙間部に複数のＬＥＤの間接照明の空間を備えたものであって、乗りかご内が満員に近い状態であっても、乗客に乗りかご内が明るいと感じさせることができ、さらにＬＥＤを間接照明とすることにより、ＬＥＤのまぶしさや光ムラの無い均一な照度を有する照明となる。
【００５２】
また本発明の実施例では、さらにＬＥＤ光線を反射する塞ぎ板を、側板間の隙間部を形成する隣接する前記側板に連結し、天井近傍に位置する隙間部の部分と、乗りかごの床の近傍に位置する隙間部の部分との間の隙間部の部分に高照度発光部に比べて照度を低くする基板に配設されたＬＥＤによって形成される低照度発光部を設け、床の近傍に位置する隙間部の部分に、低照度発光部に比べて照度を高くする基板に配設されたＬＥＤによって形成される高照度発光部を設けたことを特徴としている。
【００５３】
このように構成した本発明の実施例では、乗りかごの床付近もＬＥＤ光線を反射する塞ぎ板を介して、高照度発光部に含まれる照度を高くするＬＥＤによって照らすことができる。
【００５４】
また本発明の実施例では、さらに高照度発光部は、所定長さ当りのＬＥＤの個数を低照度発光部のＬＥＤの個数に比べて多くした発光部、または、ＬＥＤ１個に流れる電流を低照度発光部のＬＥＤ１個に流れる電流に比べて高くした発光部、または、ＬＥＤの輝度を低照度発光部のＬＥＤの輝度に比べて高くした発光部から成ることを特徴としている。
【００５５】
このように構成した本発明は、高照度発光部を比較的容易に実現させることができ、実用性に富む。
【００５６】
また本発明の実施例では、さらに基板は、高照度を供給するＬＥＤが設けられる高照度基板と、この高照度基板のＬＥＤの照度に比べて低い照度を供給するＬＥＤが設けられる低照度基板から成り、固定部材は、高照度基板が装着され、この高照度基板と同等の長さを有する高照度固定部材と、低照度基板が装着され、この低照度基板と同等の長さを有する低照度固定部材とから成り、高照度基板と、この高照度基板の設けたＬＥＤと、高照度固定部材とによって、側板に対して着脱可能な一体構造物である高照度ＬＥＤユニット形成し、低照度基板と、この低照度基板の設けたＬＥＤと、低照度固定部材とによって、側板に対して着脱可能な一体構造物である低照度ＬＥＤユニット形成し、高照度ＬＥＤユニット、及び低照度ＬＥＤユニットのそれぞれ毎に装着体を取り付け、側板に高照度ＬＥＤユニット取り付けられた装着体を固定する穴と、低照度ＬＥＤユニットに取り付けられた装着体固定する穴とを形成し、ＬＥＤ光線を反射する塞ぎ板は高照度ＬＥＤユニットと低照度ＬＥＤユニットの双方を１個の塞ぎ板によって形成されることを特徴としている。
【００５７】
このように構成した本発明は、ＬＥＤユニットが、高照度ＬＥＤユニットと低照度ＬＥＤユニットに分割形成されるので、運搬作業及び取り付け作業の作業性を向上させることができる。また、ＬＥＤユニットの保管スペースが比較的小さいスペースで済む。さらに、高照度ＬＥＤユニット及び低照度ＬＥＤユニットのうち一方に照明不良を生じた場合には、該当するＬＥＤユニットのみを交換すればよく、このような照明不良を生じた場合のＬＥＤユニットの交換作業が簡単である。
【００５８】
また本発明の実施例では、さらに隙間部のＬＥＤは、隣接する側板の少なくとも一方に形成され、径の大きい右部穴とこの左部穴に連通し、右部穴に比べて径の小さい穴とから成る達磨穴と、固定材に取り付けられ、ＬＥＤは角度を付けてＬＥＤ光線を反射する塞ぎ板に照射し、塞ぎ板には光が拡散するように拡散シートを備え、さらに半円状にすることにより光の反射方向を拡大し、より照度を上げることが可能となる。またＬＥＤ照明は角度を調整して最適な光の加減を調整することもできる。
【符号の説明】
【００５９】
１：乗りかご
２：床
３：天井
４：幅木
５：側板
５ａ：側板
５ｂ：側板
６：側板間の隙間部
６ａ：高照度発光部
６ｂ：低照度発光部
６ｃ：高照度発光部
６Ａ１：見通し部
６Ａ２：遮蔽部
７：ＬＥＤ光線を反射する塞ぎ板
８：取り付けボルト
９：ＬＥＤ
９Ａ：ＬＥＤユニット
９Ａａ：高照度ＬＥＤユニット
９Ａｂ：低照度ＬＥＤユニット
１０：基板
１０ａ：高照度基板
１０ｂ：低照度基板
１１：固定部材
１１ａ：高照度固定部材
１１ｂ：低照度固定部材
１２：電源線
１３：側板５ｂに形成した固定部材
１４：装着体
１４ａ：つば部
１４ｂ：軸部
１５：達磨穴
１５ａ：右部穴
１５ｂ：左部穴
【図１】
2014097850.tif 000003
【図２】
2014097850.tif 000004
【図３】
2014097850.tif 000005
【図４】
2014097850.tif 000006
【図５】
2014097850.tif 000007
【図６】
2014097850.tif 000008